(57)【要約】【課題】伸縮可能なアンテナによって切り替え操作される電気接続切替金具の回路基板上に占める面積を可及的に減らす手段を提供する。【解決手段】電気接続切替金具９は筐体１２の内面に固定されており、アンテナの下部金具３と当接する部分９−１にはバネ性をもたせている。ストレートエレメント２が筐体１２に収納されると、アンテナ下部金具３によってバネ部９−１が押圧されて撓むことにより接触し、アンテナ下部金具３と電気接続切替金具９が電気的に接続される。電気接続切替金具９のバネ部９−２は、筐体１２と回路基板１３を組み合わせた状態において、バネ部９−２が回路基板１３上に設けた導体ランドと弾性的に接触することにより電気的接続を行うようになっている。この導体ランドは回路基板１３上に搭載された終端回路を介して基板１３のＧＮＤと接続されており、アンテナが収納されるとストレートエレメント２が終端されるようになっている。【選択図】図１
2005057481.tif 000002
【特許請求の範囲】
【請求項１】
筐体と、回路部品が搭載されて前記筐体内に固定配置された回路基板と、前記筐体内に収納可能に構成されたストレートエレメントを有するアンテナと、前記ストレートエレメントが前記筐体内に収納されたときに、前記ストレートエレメントの下部金具による押圧操作を受けて、前記回路基板上に搭載された所定回路の接続制御を行う電気接続切替金具とを有する携帯無線機において、
前記電気接続切替金具を、前記筐体の内面に固定配置することにより前記筐体側で支持したことを特徴とする携帯無線機。
【請求項２】
前記アンテナは、ヘリカルアンテナと前記ストレートエレメントからなり、前記ストレートエレメントが前記筐体内に収納された状態のときには前記ヘリカルアンテナがアンテナとして機能し、前記ストレートエレメントが前記筐体から引き出されたときには前記ストレートエレメントがアンテナとして機能することを特徴とする請求項１に記載の携帯無線機。
【請求項３】
前記電気接続切替金具は、前記ストレートエレメントが前記筐体内に収納された状態のときに、前記ストレートエレメントの下部金具を前記回路基板上の終端回路と接続することにより、前記ストレートエレメントの終端処理を行う機能を有していることを特徴とする請求項１または２に記載の携帯無線機。
【請求項４】
前記電気接続切替金具は、前記ストレートエレメントが前記筐体内に収納された状態のときに、前記ストレートエレメントの下部金具による押圧操作を受けて、前記回路基板に搭載された回路間の接続を切り離す機能を有していることを特徴とする請求項１または２に記載の携帯無線機。
【請求項５】
前記電気接続切替金具は、所望の面積を有して前記筐体に支持される固着部と、前記ストレートエレメントの下部金具による押圧を受けたときに撓むバネ部材を備えていることを特徴とする請求項１または２に記載の携帯無線機。
【請求項６】
前記電気接続切替金具には、前記筐体と前記回路基板が組み合わされた状態のときに、前記回路基板上の導体ランドと常時接触するように構成されたバネ部材が備えられていることを特徴とする請求項５に記載の携帯無線機。
【請求項７】
前記ストレートエレメントの下部金具による押圧を受けたときに撓むバネ部材は、前記ストレートエレメントの下部金具による押圧を受けないときには前記回路基板上に設けられた導体ランドと接触していることを特徴とする請求項５または６に記載の携帯無線機。
【発明の詳細な説明】
【技術分野】
【０００１】
本発明は、携帯電話等の携帯無線機に関し、特に、携帯無線機に設けられた伸縮可能なアンテナによって切り替え操作される電気接続端子の取り付け構造に関する。
【背景技術】
【０００２】
携帯電話等の携帯無線機のアンテナは携帯無線機本体に伸縮可能に装着されており、アンテナ収納時には本体内のプリント基板に配置された電気接続端子と当接することにより所定の回路切り替え機能等を実行させる構成となっている（例えば特許文献１参照）。
【０００３】
図５、図６は、携帯無線機に設けられた伸縮可能なアンテナによって切り替え操作される電気接続端子の取り付け構造の従来例を示す概略図であり、図５は断面図、図６はその一部を斜め方向から透視した図である。
【０００４】
図５〜図６において、１はヘリカルアンテナ、２はストレートエレメント、３はアンテナ下部金具、４は給電金具、５は終端回路、９は電気接続切替金具、９−１はバネ部、１０は電気接続切替金具実装ランド、１１は接触端子金具、１２は筐体、１３は本携帯無線機の部品が実装されている回路基板である。ヘリカルアンテナ１，ストレートエレメント２及びアンテナ下部金具３は、アンテナの一部分であり、このアンテナは筐体１２への出し入れ（伸縮）可能に構成されている。
【０００５】
電気接続切替金具９は、回路基板１３に固定されており、アンテナのストレートエレメント２が筐体１２に入り込むと、電気接続切替金具９のバネ部９−１がアンテナの下部金具３と当接することにより、回路基板１３上の電気接続切替金具実装ランド１０とアンテナが接続される。一方、電気接続切替金具実装ランド１０は終端回路５を介して回路基板１３のＧＮＤと接続されているので、アンテナの下部金具３がランド１０に接続されることによりストレートエレメント２が終端回路５を介して基板１３のＧＮＤと接続される。
【０００６】
高周波的にヘリカルアンテナ１とストレートエレメント２が繋がっているアンテナが筐体１２内に収納されている場合には、ヘリカルアンテナ１がアンテナとして動作する。一方、収納したストレートエレメント２は、ヘリカルアンテナ１への影響を与えないようにするために終端処理する必要がある。そのため、ストレートエレメント２を筐体１２内部に収納した際、ストレートエレメント２の端部であるアンテナ下部金具３を回路基板１３に固定された電気接続切替金具９に当接させることで終端処理をしている。
【０００７】
【特許文献１】特開２００１−１１８６２３号公報
【発明の開示】
【発明が解決しようとする課題】
【０００８】
近年、携帯無線機は多機能化する傾向にあり、それに対応するために多くの部品を実装しなければならない。しかし、多機能化を実現するべく多くの部品を実装するためには回路基板も大きくする必要があるが，そのために携帯無線機のサイズが大型化してしまっては携帯性が悪くなって、商品としての魅力は薄れてしまう。そのため、限られた実装スペースを有効活用するために、回路構成の簡素化や部品の小型化等をすることが必要である。
【０００９】
このような状況の中で、アンテナについても小型化や複数の周波数帯域に対応できるアンテナが要求されており、図５〜図６に示すような収納されたストレートエレメント２を終端するための機構的スイッチとして使用されている電気接続切替金具９についても、より小型化して回路基板１３に搭載するための面積を減らすことが好ましいが、この電気接続切替金具９は、アンテナに当接することにより所定の回路切替操作を行わせなければならない関係上、当接面積としてある程度の大きさが必要である。
【００１０】
さらに、電気接続切替金具９は、ストレートエレメント２の下部金具３により繰り返し押圧操作が行われるので回路基板に対して強固に固定する必要がある。そのため、この電気接続切替金具９を回路基板１３に固定するための電気接続切替金具実装ランド１０の面積も、ある程度の大きさを確保すること要求される。
【００１１】
しかし、前記のとおり携帯無線機の多機能化に伴い、回路基板１３には、限られた実装スペースに多くの部品を搭載する必要性が生じている現状では、回路基板１３における電気接続切替金具９の占める面積は無視できない問題となってきた。
【００１２】
本発明の目的は、上記問題点に鑑み、携帯無線機に設けられた伸縮可能なアンテナによって切り替え操作される電気接続切替金具の回路基板上に占める面積を可及的に減らすことが可能な手段を提供することにある。
【課題を解決するための手段】
【００１３】
本発明は、筐体と、回路部品が搭載されて前記筐体内に固定配置された回路基板と、前記筐体内に収納可能に構成されたストレートエレメントを有するアンテナと、前記ストレートエレメントが前記筐体内に収納されたときに、前記ストレートエレメントの下部金具による押圧操作を受けて、前記回路基板上に搭載された所定の回路部品の切替制御動作を行う電気接続切替金具とを有する携帯無線機において、前記電気接続切替金具を、前記筐体の内面に固定配置することにより前記筐体側で支持したことを特徴とする。
【００１４】
前記電気接続切替金具は、少なくとも、所望の面積を有して前記筐体に支持される固着部と、前記ストレートエレメントの下部金具による押圧を受けたときに撓むバネ部材を備えている。
【００１５】
また、前記電気接続切替金具には、前記筐体と前記回路基板が組み合わされた状態のときに、前記回路基板上の導体ランドと常時接触するように構成されたバネ部材を備えることができる。
【００１６】
また、前記ストレートエレメントの下部金具による押圧を受けたときに撓むバネ部材は、前記ストレートエレメントの下部金具による押圧を受けないときには前記回路基板上に設けられた導体ランドと接触するように構成することができる。
【発明の効果】
【００１７】
本発明によれば、伸縮可能なアンテナを有する携帯無線機において、収納されたアンテナを終端処理するため、または回路を切り替えるために使用される電気接続切替金具を、筐体側の内面で固定支持する構成としているので、回路基板上の前記電気接続切替金具を搭載固定するための面積が、他の回路部品搭載のために利用可能となり、限られた回路基板の実装スペースを有効活用することができる。
【発明を実施するための最良の形態】
【００１８】
図１〜図２は、本発明の第１の実施形態を示す概略図であり、図１はアンテナ収納状態と関連して示した本実施形態の断面図、図２は本実施形態の斜め方向からの透視図である。
【００１９】
図１〜図２において、１はヘリカルアンテナ、２はストレートエレメント、３はアンテナ下部金具、４は給電金具、５は終端回路、９は電気接続切替金具、９−１、９−２はバネ部、１１は接触端子金具、１２は筐体、１３は本携帯無線機の部品が実装されている回路基板、１５はバネ部９−２と接触する回路基板上の導体ランドである。ヘリカルアンテナ１，ストレートエレメント２及びアンテナ下部金具３は、アンテナの一部分であり、このアンテナは筐体１２への出し入れ（伸縮）可能に構成されている。
【００２０】
本実施形態では、電気接続切替金具９は筐体１２の内面に固定されており、アンテナと当接する部分９−１にはバネ性をもたせている。そのため、ストレートエレメント２が筐体１２に収納されると、アンテナ下部金具３によってバネ部９−１が押圧されて撓むことにより接触し、アンテナ下部金具３と電気接続切替金具９が電気的に接続される。
【００２１】
また、電気接続切替金具９のバネ部９−２は、筐体１２と回路基板１３を組み合わせた状態において、回路基板１３上に設けた導体ランド１５とバネ部９−２が弾性的に接触することにより電気的接続を行うようになっている。回路基板１３上に設けたこの導体ランド１５は、回路基板１３上に搭載された終端回路５を介して基板１３のＧＮＤと接続されており、ストレートエレメント２が導体ランド１５に接続されることで、終端処理を行っている。
【００２２】
高周波的にヘリカルアンテナ１とストレートエレメント２が繋がっているアンテナを収納した場合には、ヘリカルアンテナ１がアンテナとして動作する。一方、収納したストレートエレメント２は、ヘリカルアンテナ１への影響を与えないようにするため、終端処理する必要がある。そのため本実施形態では、ストレートエレメント２を筐体１２内部に収納した際に、ストレートエレメント２の端部であるアンテナ下部金具３を、筐体１２の内面に固定された電気接続切替金具９を介して回路基板１３上の終端回路５に接続することで終端処理をしている。
【００２３】
このように、電気接続切替金具９を筐体１２の内面に固定し、この電気接続切替金具９のバネ性を利用することによって、ストレートエレメント２を終端処理することが可能となり、従来例のように電気接続切替金具９を回路基板上に搭載する必要がないので、回路基板面を有効に活用することができ、回路基板の搭載面積を小さくすることが可能となる。
【００２４】
図３〜図４は、本発明の第２の実施形態を示す概略図であり、図３はアンテナ収納状態と関連して示した本実施形態の断面図、図４は本実施形態の斜め方向からの透視図である。
【００２５】
図３〜図４において、１はヘリカルアンテナ、２はストレートエレメント、３はアンテナ下部金具、４は給電金具、６、７は基板に実装された回路、８は基板に実装された伝送線路、９は電気接続切替金具、９−１、９−２はバネ部、１１は接触端子金具、１２は筐体、１３は本携帯無線機の部品が実装されている回路基板、１４はバネ部９−１と接触する回路基板上の導体ランド、１５はバネ部９−２と接触する回路基板上の導体ランドである。
【００２６】
電気接続切替金具９は、第１の実施形態と同様に、筐体１２お内面に固定されており、金具の９−１と９−２にはバネ性をもたせることにより、アンテナ伸張時にそれぞれ回路基板１３上に設けた導体ランド１５と導体ランド１４に接触している。また導体ランド１５と導体ランド１４はそれぞれ伝送線路８を介して回路６，回路７に接続されている。
【００２７】
従って、アンテナが伸張している状態では、電気接続切替金具９は、バネ部９−１にてランド１４と接触し、回路６と回路７は電気接続切替金具９を介して接続している。一方、ストレートエレメント２が収納されるとバネ部９−１がアンテナ下部金具３により押し上げられ、バネ部９−１と導体ランド１４との接触が切り離されるため、回路６と回路７の電気的接続が切り離される。このように、電気接続切替金具９は、機構的スイッチとして用いることもできる。
【００２８】
本実施形態においても第１の実施形態と同様に、電気接続切替金具９を筐体１２の内面に固定しているので、第１の実施形態と同様の効果を得ることができる。
【図面の簡単な説明】
【００２９】
【図１】本発明の第１の実施形態をアンテナ収納状態と関連して示した断面図である。
【図２】図１に示す実施形態の一部を斜め方向から透視した図である。
【図３】本発明の第１の実施形態をアンテナ収納状態と関連して示した断面図である。
【図４】図３に示す実施形態の一部を斜め方向から透視した図である。
【図５】アンテナ収納状態と関連して示した従来例の断面図である。
【図６】図５に示す従来例の一部を斜め方向から透視した図である。
【符号の説明】
【００３０】
１  ヘリカルアンテナ
２  ストレートエレメント
３  アンテナ下部金具
４  給電金具
５  終端回路
６，７  回路
８  伝送線路
９  電気接続切替金具
９−１，９−２  バネ部
１０  金具実装ランド
１１  接触端子金具
１２  筐体
１３  回路基板
１４，１５  導体ランド
【図１】
2005057481.tif 000003
【図２】
2005057481.tif 000004
【図３】
2005057481.tif 000005
【図４】
2005057481.tif 000006
【図５】
2005057481.tif 000007
【図６】
2005057481.tif 000008